(57)【要約】【要約書】    【課題】  簡単な構造で、全体の高さを低くするようにしたキースイッチを提供することにある。      【解決手段】  キースイッチ１０は、キートップ１７を案内支持する案内支持機構２０を、略ロ字形スタビライザ２１とコ字形スタビライザ２２を断面半円状の軸３１および軸受部３２により軸支するように構成する。軸３１を半円筒状とし、軸受部３２を半円状溝部とする。キートップ１７下面に係止爪２３、２４を設け、略ロ字形スタビライザ２１の枠係止ピン２７とコ字形スタビライザ２２の係止ピン２６を係止爪２３、２４に係止する。【選択図】図１
2006019211.tif 000002
【特許請求の範囲】
【請求項１】
キートップを案内支持する案内支持機構を、略ロ字形スタビライザとコ字形スタビライザを断面半円状の軸および軸受部により軸支するように構成したことを特徴とするキースイッチ。
【請求項２】
前記軸を半円筒状とし、前記軸受部を半円状溝部としたことを特徴とする請求項１記載のキースイッチ。
【請求項３】
前記キートップ下面に係止爪を設け、前記略ロ字形スタビライザの枠係止ピンとコ字形スタビライザの係止ピンを前記係止爪に係止したことを特徴とする請求項１記載のキースイッチ。
【請求項４】
前記略ロ字形スタビライザの枠支承ピンを固定した係止爪に係止し、前記コ字形スタビライザの摺動ピンを摺動溝に案内したことを特徴とする請求項３記載のキースイッチ。
【発明の詳細な説明】
【技術分野】
【０００１】
本発明は、Ｉ／Ｏインターフェースとしてのキーボードに組み込まれるキースイッチに関する。
【背景技術】
【０００２】
キーボードに組み込まれるキースイッチは、人間が指で入力する都合上、指の形状に合わせるためにその大きさが変わらない装置であり、しかも人間の操作感覚になじむ特性が要求される特殊な装置となっている。
【０００３】
キースイッチは、押し下げストロークの間に、キートップのガタツキや傾きのない上下動、指に接点のＯＮ又はＯＦＦの切り替りをフィードバックするための座屈感やクリック感、押し下げ操作感覚および接点の切り替り感覚を感得できるストロークの確保等が要求される。
【０００４】
特に、キートップのガタツキや傾きのない上下動が必要とされる。従来、そのための案内支持機構としては、リンク部材の略中央を軸支して略Ｘ字形形状としたものがよく用いられている。この案内支持機構は、ディスクトップ型に比べノート型においてその高さを低くする課題が強い。ノート型は折り畳みの必要性からキートップを含む案内支持機構の全高を低くすることが潜在的課題となっている。
【０００５】
図６は従来のキースイッチの断面図である（例えば、特許文献１参照）。
【０００６】
図６では、キートップ１０１の裏面には略π形形状のホルダー１０２が係止爪１０３、１０４により係止される。キートップ１０１とホルダー１０２の間には案内支持機構１０５の端部に設けた係止ピンが配置され、キートップ１０１を押し下げ操作することにより、案内支持機構１０５が略Ｘ字状に延びたり又は入れ子式に折り畳まれて重なったりしてその高さを変える。特に折り畳まれて重なったときの高さはそのまま残るため重要な問題となる。
【０００７】
案内支持機構１０５は、リンク部材１０８、１０９を、円柱状の軸１１０とそれを受ける円柱溝の軸受部１１１により略Ｘ字状に組み立てて構成する。リンク部材１０８、１０９はそれぞれ連結部を有する。一方の連結部１０６はキートップ１０１の裏面とホルダー１０２の間に摺動自在に支持され、他方の連結部１０７はキートップ１０１の裏面とホルダー１０２により狭持される。
【０００８】
案内支持機構１０５は指の操作力を受ける必要性から強度を要求され、力が掛かる軸１１０と軸受部１１１は強度の点から小径寸法にすることができなかった。このため、キートップ１０１が最後まで押し下げられ、案内支持機構１０５が直線状に折り畳まれたとき、軸１１０を挿通支持した軸受部１１１の高さ以下に小さくすることができなかった。
【０００９】
そこで、略Ｘ字状の案内支持機構１０５におけるリンク部材１０８、１０９を、従来のような円形（真円）の軸１１０と円形の溝からなる軸受部１１１からなる軸受機構により回転自在に支持する代わりに、円形の軸よりも薄型のハート形突起２個により回動自在に支持するようにしたものもある（例えば、特許文献２参照）。
【００１０】
図７は従来のハート形突起２個により回動自在に支持する略Ｘ字状の案内支持機構の構成図である。図７（ａ）は外側脚片を備えたコ字状の外側リンク部材、図７（ｂ）は内側脚片を備えたコ字状の内側リンク部材、図７（ｃ）は両脚片を略Ｘ字状に組み合わせた状態を示す案内支持機構の構成図である。
【００１１】
案内支持機構１２０は、外側脚片１２１ａ、１２１ｂを備えたコ字状の外側リンク部材１２２と、内側脚片１２３ａ、１２３ｂを備えたコ字状の内側リンク部材１２４を略Ｘ字状に組み合わせて構成する。
【００１２】
一対の外側脚片１２１ａ、１２１ｂの対向する内側面には高さを変えてハート形突起１２５、１２６が設けられている。外側脚片１２１ａ、１２１ｂは、その一端部に設けた連結棒１２９で連結する。
【００１３】
同じく、一対の内側脚片１２３ａ、１２３ｂの対向する外側面には高さを変えてハート形突起１２７、１２８が設けられている。内側脚片１２３ａ、１２３ｂは、その一端部に設けた連結棒１３０で連結する。
【００１４】
これら両リンク部材を図７（ｃ）に示すように略Ｘ字状に配置し、両脚片１２１ａ、１２１ｂ，１２３ａ、１２３ｂのハート形突起１２５〜１２８を図のように当接してＸ字形がくずれないように支持する。
【００１５】
以上述べた案内支持機構はリンク部材を略Ｘ字状に構成したものであるが、これとは別に軸を用いない案内支持機構もある。リンク部材を略Ｘ字状に組み合せる代わりに、同じ形状のリンク部材を離間して配置し、その一端を回動自在に係止し、キートップを押し下げることにより両リンク部材を同じ倒れ角度で傾ける案内支持機構もある（例えば、特許文献３参照）。
【特許文献１】特開２００３−２９７１７７号公報
【特許文献２】特開平６−６０７６９号公報
【特許文献３】特開平８−１２４４５６号公報
【発明の開示】
【発明が解決しようとする課題】
【００１６】
上で述べた従来の一般的な案内支持機構においてもその高さを低くする課題は重要になっている。しかし、この従来の案内支持機構１０５は、軸部、特に円形の軸１１０および軸受部１１１により回転自在に連結していたので、案内支持機構１０５が折り畳まれたとき、リンク部材は薄くできるが、軸１１０および軸受部１１１の径の分は薄くならずに残ってしまう。また、キートップ側にリンク部材の連結部の一方を固定又は摺動自在に案内する機構を設ける必要性から、キートップ１０１に対向してホルダー１０２を用いているが、このホルダー１０２がキースイッチ全体の高さを低くするための障害となっていた。
【００１７】
また、前記円形の軸よりも薄形のハート形突起１２５〜１２８により回動自在に支持するものは、各リンク部材に設ける一対のハート形突起の高さ位置が相互に上下に変えられているので、即ち、外側脚片１２１ｂのハート形突起１２６は内側脚片１２３ｂのハート形突起１２８よりも上側に位置し、外側脚片１２１ａのハート形突起１２５は内側脚片１２３ａのハート形突起１２７よりも下側に位置するように設けられている。
図７（ｃ）に示す案内支持機構１２０の外側リンク部材１２２を押し下げると、ハート形突起１２６はハート形突起１２８を押し下げるが、ハート形突起１２５はハート形突起１２７を押し下げることなく、離れていくように動作する。この結果、内側リンク部材１２４は内側脚片１２３ｂのみが押し下げられ、内側脚片１２３ａは直接押し下げられることなく連結片１３０を介して追従動作することとなり、固定軸１３１を中心にしたねじれ力が働き、内側リンク部材１２４の内側脚片１２３ａと外側リンク部材１２２の外側脚片１２１ａのこじれ現象が発生し、スムーズな上下動ができなくなる。
【００１８】
また、押し下げた状態で指を離すと、案内支持機構１２０は復帰バネ（図示省略）により元の状態まで復帰する。そのとき、ハート形突起１２５はハート形突起１２７を押し上げるが、ハート形突起１２６はハート形突起１２８を押し上げることなく、離れていくように動作する。
【００１９】
また、前記両作動腕を同じ倒れ角度で傾ける案内支持機構は、動作時リンク部材が円弧を描くのでキートップも同じく円弧を描くこととなり、そのため、その円弧の分だけ、キートップの配列に無駄な遊びを必要とすると共にキートップの動きが指の動きと一致せず使い勝手の悪いものとなる。
【００２０】
本発明の目的は、前記問題点に鑑み、簡単な構造で、全体の高さを低くするようにしたキースイッチを提供することにある。  
【課題を解決するための手段】
【００２１】
本発明は上記目的を達成するために下記の解決手段を採用する。
【００２２】
本発明は、主には、案内支持機構を構成する略ロ字形スタビライザ及びコ字形スタビライザの各一端は、係止爪により直接キートップ裏面に取り付けられる。また、略ロ字形スタビライザとコ字形スタビライザの軸支は断面半円状の軸と軸受により行う。具体的には、以下のようになる。
（１）  キースイッチは、キートップを案内支持する案内支持機構を、略ロ字形スタビライザとコ字形スタビライザを断面半円状の軸および軸受部により軸支するように構成したことを特徴とする。
（２）  上記（１）記載のキースイッチは、前記軸を半円筒状とし、前記軸受部を半円状溝部としたことを特徴とする。
（３）  上記（１）記載のキースイッチは、前記キートップ下面に係止爪を設け、前記略ロ字形スタビライザの枠係止ピンとコ字形スタビライザの係止ピンを前記係止爪に係止したことを特徴とする。
（４）  上記（３）記載のキースイッチは、前記略ロ字形スタビライザの枠支承ピンを係止爪に係止し、前記コ字形スタビライザの摺動ピンを摺動溝に案内したことを特徴とする。
【発明の効果】
【００２３】
キートップに案内支持機構の枠係止ピンおよび係止ピンを取り付けるために、従来は摺動案内させることも予定してキートップの他に摺動空間を形成させるためにホルダーを必要としていたが、本発明はキートップ裏面に設けた係止爪に直接係止するようにしたので、キースイッチの高さをホルダーを削除した分低くすることができる。
【００２４】
案内支持機構は、従来リンク部材を軸と軸受部により略Ｘ字状に組み立てていたため、入れ子式に折り畳んだとき、軸および軸受部以外の部分の厚みが無くても、軸および軸受部の径が大きいと、軸と軸受部により全体の高さが決まってしまい、従って、キースイッチの全体の高さが低くならなかった。これは、従来の軸および軸受部が断面真円の軸および軸受部を用いていたことによる。本発明は、断面半円状の軸および軸受部とすることにより、略ロ字形スタビライザ及びコ字形スタビライザを含む案内支持機構の折り畳み時の高さを断面半円状の軸および軸受部とした分低くすることができ、従って、キースイッチの高さを低くすることができる。
【００２５】
また、前記従来の２組のハート形突起を互い違いに設けた案内支持機構は、キートップの押し下げストロークまたは復帰ストロークのいずれに於いても、いずれか一方の組みの一対のハート形突起は係合して強制的に動作させられるが、他方の組みの一対のハート形突起は追従動作のみを行い係合しない。このため、固定軸を中心としたねじれ力が働き、内側リンク部材の内側脚片と外側リンク部材の外側脚片のこじれ現象が発生してスムーズな上下動ができなかった。しかし、本発明の案内支持機構は、軸を半円筒状軸とし、軸受部を半円状溝部としたので、軸の強度を保ちながら、こじれ現象の発生等がなく、滑らかな軸回転をさせることができる。
【００２６】
案内支持機構の各スタビライザの端部のピンの内、３つ（枠係止ピン、枠支承ピン、係止ピン）は位置固定し、残りの１つ（摺動ピン）を摺動可能としたので、軸と軸受部を用いても軸支することができるようになる。
【発明を実施するための最良の形態】
【００２７】
本発明のキースイッチに関し実施の形態を図に基づいて詳細に説明する。
まず、（１）本発明の特徴点の概略を説明し、（２）キースイッチの全体構成を説明し、（３）他の軸支の実施例を説明する。
【実施例１】
【００２８】
図１は本発明のキースイッチの断面図である。図１は、キースイッチの中央で切った断面図で、説明の都合上断面を透視して示す。図１は、キースイッチの復帰状態を示す図で、案内支持機構がＸ字状に交差角を広げた状態にある。
図１に示すように、キースイッチ１０は、主に、アルミニウム等の金属からなる平板状のバックプレート１１と、バックプレート１１上に載置されるメンブレンシート１２と、このメンブレンシート１２上に載置される支持プレート１３と、メンブレンシート１２上に取り付けられたラバーキャップ（弾性キャップ）１４と、支持プレート１３上に重ね合わせて固定され、ラバーキャップ１４等を遊挿させるための矩形の開孔を有するキーボードフレーム１６と、ラバーキャップ１４を押し下げ駆動するキートップ１７と、キーボードフレーム１６に下部が支承され、キートップ１７を支持し且つ上下動の案内を行うように略中心で相互に軸支された略Ｘ字状の案内支持機構２０から構成される。
【００２９】
案内支持機構２０は、略ロ字形スタビライザ２１とコ字形スタビライザ２２を軸と軸受部により略Ｘ字形形状に構成し、両スタビライザの各一端である係止ピン２６と枠係止ピン２７がキートップ１７の裏面に設けた係支爪２３、２４により位置を変えずに回動自在に把持され、両スタビライザの他端の一方端である枠支承ピン２８は支持プレート１３に設けた係支爪２５により位置を変えずに回動自在に把持され、他方端の摺動ピン２９はキーボードフレーム１６とメンブレンシート１２とで形成される摺動溝３０に摺動案内される。
【００３０】
係止爪は、中央にスリットを設け、スリットの一部にピンを把持する円形開孔を連設した構成を有する。
【００３１】
略ロ字形スタビライザ２１とコ字形スタビライザ２２を軸支する半円筒状軸３１と半円状溝部からなる軸受部３２は、それら略ロ字形スタビライザ２１とコ字形スタビライザ２２の高さ内に収まる断面半円状の形状に形成される。
【００３２】
このように、案内支持機構２０を構成する略ロ字形スタビライザ２１及びコ字形スタビライザ２２の各一端の係支ピン２６、枠係支ピン２７は、係止爪２３、２４により直接キートップ１７裏面に位置を固定して取り付けられるので、不要となった従来の略π形形状のホルダーの分低くなり、また、略ロ字形スタビライザ２１とコ字形スタビライザ２２の軸支は断面半円状の軸３１と軸受部３２により行うので、軸部の高さが従来の真円のものに比べ略半分と低くなり、キースイッチ全体の高さを低くすることができる。
【００３３】
軸を断面半円状とするのは、以下の理由による。断面真円の軸の径を半分にすると、軸断面積は１／４になり、押圧力が１／４の面積に加わることになり、問題が多い。一方、従来の真円の軸を半分に割ると、軸断面積は１／２になり、高さは前記断面真円の軸の径を半分にした場合と同じになる。このことから、従来の真円の軸を半分に割る場合は、高さが従来の真円の場合の半分となる利点があり、押圧力が加わる面積を１／２程度に抑えることができ、強度的には十分耐えられるものとなる。このような観点から、軸を断面半円状とする構成は利点がある。本発明は、軸を断面半円状とする場合、断面半円筒状としても強度の点で問題がないことを見出した。本発明はこの知見に基づいてキースイッチを構成したものである。
【００３４】
このような本発明のキースイッチの各部構成要素を図２及び図３に基づき説明する。
【００３５】
図２は、本発明のキースイッチの各部構成要素を説明する構成図１である。図２（ａ）はキートップの平面図、図２（ｂ）はキートップの斜視図、図２（ｃ）はキートップの裏面図を示す。図２（ｄ）は案内支持機構のコ字形スタビライザの平面図、図２（ｅ）はコ字形スタビライザの斜視図、図２（ｆ）は案内支持機構の略ロ字形スタビライザの平面図、図２（ｇ）は案内支持機構の略ロ字形スタビライザの斜視図を示す。
【００３６】
図３は、本発明のキースイッチの各部構成要素を説明する構成図２で、図３（ｈ）はキーボードフレームの平面図、図３（ｉ）はキーボードフレームの斜視図、図３（ｊ）はラバーキャップの平面図、図３（ｋ）はラバーキャップの斜視図、図３（ｌ）はメンブレーンシートの平面図、図３（ｍ）はメンブレーンシートの斜視図、図３（ｎ）はバックプレートの平面図、図３（ｏ）はバックプレートの斜視図を示す。
【００３７】
図２（ａ）〜（ｃ）のキートップは、ＡＢＳ樹脂等の合成樹脂からなり、その上面に文字などが刻印または印刷などにより付されている。図２（ｃ）に示すように、キートップ１７の裏面には、４個の係止爪２３ａ、２３ｂ，２４ａ、２４ｂが開口３３の向きを揃えて配置されている。係止爪２３ａ、２３ｂ，２４ａ、２４ｂはピンを把持するようにスリット等を設けてコ字形に形成されている。
【００３８】
図２（ｄ）、（ｅ）、（ｆ）、（ｇ）の案内支持機構は、略ロ字形スタビライザ２１とコ字形スタビライザ２２を、軸３１ａ、３１ｂと軸受部３２ａ、３２ｂにより軸支し、略Ｘ字状に組み立てて構成する。なお、案内支持機構は図５（ａ）、（ｂ）に拡大して示す。
【００３９】
図２（ｄ）、（ｅ）のコ字形スタビライザ２２は、両側の腕部３５ａと腕部３５ｂを連結部３６でコ字形に連結して構成する。連結部３６は軸３１ａ、３１ｂに面した側の両端に凹溝部３７ａと凹溝部３７ｂを設ける。この凹溝部３７ａと凹溝部３７ｂは、略ロ字形スタビライザ２１の枠支承ピン２８ａと枠支承ピン２８ｂを係止する係止爪２５を収納する空間を形成する。腕部３５ａの連結部３６と連結する位置の近傍に外向きに円柱状の係止ピン２６ａを設け、同じ腕部３５ａの自由端には円柱状の摺動ピン２９ａが突設されている。腕部３５ａの係支ピン２６ａ、摺動ピン２９ａとは反対側には略半円筒状の軸３１ａが突設されている。腕部３５ａにおける軸３１ａの位置は案内支持機構全体の計算から求める。
【００４０】
腕部３５ｂにおける係止ピン２６ｂ、摺動ピン２９ｂ、および軸３１ｂは、前記腕部３５ａにおける構成と同様に構成される。
【００４１】
図２（ｆ）、（ｇ）の略ロ字形スタビライザ２１は、大略、略矩形平板の中央部にラバーキャップ１４を遊挿する開孔３８を形成し、その対向する２辺の外側に軸受部３２ａ、３２ｂと凹部３９ａ、３９ｂを形成し、その残りの２辺に枠係止ピン２７ａ、２７ｂと枠支承ピン２８ａ、２８ｂを分離して設けるように形成したものであり、具体的には、両側の枠腕部４１ａと枠腕部４１ｂを第１枠連結部４２と第２枠連結部４３により略ロ字形に連結して構成し、枠腕部４１ａと枠腕部４１ｂには外側に軸受部３２ａ、３２ｂと凹部３９ａ、３９ｂを設け、第１枠連結部４２の両側面には枠係止ピン２７ａ、２７ｂを突設し、第２枠連結部４３の両側面には枠支承ピン２８ａ、２８ｂを突設する。前記開孔３８はラバーキャップ１４を遊挿することができれば任意の形状、例えば、４角形とすることができる。
【００４２】
軸受部３２ａと軸受部３２ｂは、枠腕部４１ａと枠腕部４１ｂの２側面に開口するようにしてそれぞれ半円状溝部４５ａ、４５ｂを形成して構成する。この結果、半円状溝部４５ａ、４５ｂは、強度を考慮して、枠腕部４１ａと枠腕部４１ｂの厚み内に半円柱状部４４ａ、４４ｂを形成するように形成される。凹部３９ａと凹部３９ｂは、第１枠連結部４２近傍に設けられる。
【００４３】
第１枠連結部４２は、案内支持機構２０を入れ子式に重ね合わせたとき、略ロ字形スタビライザ２１の外側にコ字形スタビライザ２２が配置されたとき動作可能なように該コ字形スタビライザ２２の腕部３５ａ、３５ｂの厚さ分だけＸ方向の長さ（図中矢印Ｘで示す方向；例えば、枠腕部４１ａと枠腕部４１ｂを結ぶ方向を意味する）が長く形成されている。
【００４４】
第２枠連結部４３は、枠支承ピン２８ａ、２８ｂを画成するように、枠支承ピン２８の一方側に凹溝４６ａ、４６ｂが形成されている。この凹溝４６ａ、４６ｂには、枠支承ピン２８ａ、２８ｂを係止する係止爪２５が挿入される。
【００４５】
図３（ｈ）、（ｉ）のキーボードフレーム１６は、１枚の板５７にキースイッチの数だけ案内支持機構２０を支持・案内するように略Ｕ字状の枠体で構成され、メンブレンシート１２および支持プレート１３（図示省略；図１参照）の一部分の上に載置される。
【００４６】
キーボードフレーム１６は、両側辺５１ａ、５１ｂとそれらを連結する連結辺５２から構成される。両側辺５１ａ、５１ｂの内側には、連結辺５２との連結部から自由端に向かって切欠溝５３ａ、５３ｂと摺動段部５４ａ５４ｂが離間して形成されている。切欠溝５３ａ、５３ｂは、キーボードフレーム１６に垂直に形成され、コ字形スタビライザ２２の係止ピン２６ａ、２６ｂを係止する係止爪２３を収納する空間を構成する。摺動段部５４ａ、５４ｂは、断面Ｌ字状の段部として形成され、下面のメンブレンシート１２と組み合わせて断面コ字状の摺動溝３０を構成する。図１に示すように、摺動溝３０にはコ字形スタビライザ２２の摺動ピン２９ａ、２９ｂを挿通配置する。メンブレンシート１２の前記摺動溝３０として用いる箇所は、配線側の面の配線が設けられていない部分となる。
【００４７】
支持プレート１３は、メンブレンシート１２上に載置され、ラバーキャップ１４等を設けるための開孔を備え、この開孔を跨ぐようにしてキーボードフレーム１６を搭載する。
【００４８】
支持プレート１３には、略ロ字形スタビライザ２１の枠支承ピン２８ａ、２８ｂを係止するための係止爪２５を備える。この係止爪２５は支持プレート１３の開孔に突出する。
【００４９】
図３（ｊ）、（ｋ）のラバーキャップ（弾性キャップ）１４は、絶縁性のあるシリコーンゴム等のゴム製または樹脂製でキャップ状（縁なし帽子状、杯状）に形成され、キャップの頂上部分から上方に突出する筒状頂部と、筒状頂部の周囲から下向きに延びるスカート部と、スカート部の下端部分に延設された厚肉の鍔部とからなる下向き開放のキャップ状に一体成形されている。このラバーキャップ１４は、キャップの内側頂部に下方側に向けて一体に突出形成した押圧突起と、この押圧突起の先端に印刷形成された導電性の膜からなる可動電極５５（第１図参照）とを備えている。
【００５０】
ラバーキャップ１４は、可動電極５５と固定電極５６とが対向するように位置決めして、鍔部の下面をメンブレンシート１２の上面に貼着固定してある。
【００５１】
図３（ｌ）、（ｍ）のメンブレンシートは、ポリエチレンテレフタレート、ポリエステル等の樹脂フィルムからなる透明で絶縁性を有するベースシートに、導電性インクからなる導電パターン、例えば、固定電極や配線をスクリーン印刷等により形成した、一種のフレキシブル回路基板（ＦＰＣ）になっている。
【００５２】
導電パターンは、キーボード用スイッチの全体形状および仕様により種々の形態をとるが、基本的には、種々の形状の固定電極対とこれに連なる配線パターンとからなる。
【００５３】
メンブレンシート１２は、その上に、直に、又は必要に応じてレジスト膜を介して案内支持機構２０を搭載する。
【００５４】
案内支持機構２０の摺動ピン２９は、図１に示すように、キーボードフレーム１６の摺動段部５４とメンブレンシート１２とで摺動可能に案内される。即ち、摺動ピン２９がメンブレンシート１２の配線面側の面を摺動するように構成される。案内支持機構２０の枠支承ピン２８は、支持プレート１３の係止爪２５で回動可能に支承される。
【００５５】
これにより、案内支持機構２０を、絶縁のためのシートを介在させずに直接メンブレンシート１２上にまたはレジスト膜を介して、取り付けることができる。
【００５６】
図３（ｎ）、（ｏ）のバックプレート１１は、アルミニウム等の金属平板から構成される。
（動作）
次に、図４に基づいてこのキースイッチの動作を説明する。
図４は押圧ストローク順の案内支持機構の動作を説明する説明図である。
図４（ａ）は図１（ａ）の状態と同じ復帰状態を示す断面図、図４（ｂ）はキートップを押圧操作時、ラバーキャップが座屈動作をしたときの断面図、図４（ｃ）は押圧操作時、押し下げストロークの最後で停止したときの断面図である。
【００５７】
略ロ字形スタビライザ２１の外側にコ字形スタビライザ２２を配置し、略ロ字形スタビライザ２１の半円状溝部４５に、コ字形スタビライザ２２の半円筒状軸３１を遊挿し、摺動ピン２９をキーボードフレーム１６の摺動段部５４と下面のメンブレンシート１２とを組み合わせて形成した摺動溝３０に案内し、枠支承ピン２８を支持フレーム１３の係止爪２５に係止し、係止ピン２６をキートップ１７裏面の係止爪２３に係止し、枠係止ピン２７をキートップ１７裏面の係止爪２４に係止して、図４（ａ）のように略Ｘ字状に構成する。この復帰状態は、ラバーキャップ１４の復帰力により保持する。
【００５８】
図４（ａ）の状態からキートップ１７を押し下げると、略Ｘ字形の案内支持機構２０が折り畳まれてゆくと共にラバーキャップ１４の頂部が下方に押し下げられていき、ラバーキャップ１４のスカート部が変形して座屈し、この座屈動作によってクリック感が生じる。それに伴い、可動電極が第１、第２固定電極を橋絡して電気的に導通し、図４（ｂ）のスイッチオン状態となる。その後、前記座屈動作時の押圧操作力が残って働くため、図４（ｂ）の状態から図４（ｃ）の状態に一気に変化する。図４（ｃ）の状態では、略ロ字形スタビライザ２１の外側にコ字形スタビライザ２２が入れ子式に重なって配置される。
【００５９】
図４（ｃ）の状態では、両スタビライザ２１、２２の高さ内に、軸３１と軸受部３２および各種ピン２６〜２９が含まれる。軸３１と軸受部３２が従来の真円形の場合に比べ半分の高さになるので、両スタビライザ２１、２２の高さも半分にできる。更には、従来のキートップ１７裏面のホルダーを無くしたので、その分の高さも低くできる。
【００６０】
略ロ字形スタビライザ２１の枠係止ピン２７と枠支承ピン２８およびコ字形スタビライザ２２の係止ピン２６は位置固定で、コ字形スタビライザ２２の摺動ピン２９のみ位置を変えるように構成したため、軸３１と軸受部３２の中心位置が相互に位置ズレを生じる。軸３１の径と軸受部３２の半円状溝部の径は相互に遊びを有し、多少の水平方向（摺動ピンの摺動方向）の移動を許容する寸法に形成されている。
【実施例２】
【００６１】
図５は本発明の案内支持機構の他の実施例を説明する図である。図５（ａ）のコ字形スタビライザの丸印の軸を図５（ｂ）の略ロ字形スタビライザの丸印の半円状溝部に適用できるように変更した実施例を図５（ｃ）に示す。図５（ｃ）は軸と軸受部を組み合わせた状態の断面図（図５（ａ）のＡＡ線の断面図）を示す。
【００６２】
実施例１の軸は、中心角１８０度の例を示す。案内支持機構２０は復帰状態の略Ｘ字形から入れ子式に重なった平坦状まで変化する間に、案内支持機構２０の軸３１ａ、３１ｂは回動角度が４５度程度変化する。このように４５度程度変化しても、軸が軸受部に案内されるようにするためには、強度の点も加味して半円状溝に対し中心角９０度（左右４５度ずつ）程度以上で１８０度未満の軸形状でも動作可能になる。図５（ｃ）は断面が中心角９０度の軸の例を示す。
【実施例３】
【００６３】
図５に示すように、軸受部３２の半円状溝部４５ａ、４５ｂとの接触面積を少なくするために、軸３１ａ、３１ｂの表面に凹凸６０を設ける。これにより、接触抵抗を小さくでき、従って、コジレを防止でき、操作力を小さくすることができる。
【実施例４】
【００６４】
前記軸と軸受部は略ロ字形のスタビライザとコ字形のスタビライザの何れに設けるかは適宜設定する。
【産業上の利用可能性】
【００６５】
軸と軸受部を断面半円状の軸と軸受部にすることにより、高さを低くする技術思想であり、高さの制限がある装置に適用することができる。
【図面の簡単な説明】
【００６６】
【図１】本発明のキースイッチに用いるスタビライザの要部断面図である。
【図２】本発明のキースイッチの各部構成要素を説明する構成図１である。
【図３】本発明のキースイッチの各部構成要素を説明する構成図２である。
【図４】本発明の押圧ストローク順の案内支持機構の動作を説明する図である。
【図５】本発明の案内支持機構の他の実施例を説明する図である。
【図６】従来のキースイッチの断面図である
【図７】従来のハート形突起２個により回転自在に支持する略Ｘ字状の案内支持機構の構成図である。
【符号の説明】
【００６７】
１０    キースイッチ
１１    バックプレート
１２    メンブレンシート
１３    支持プレート
１４    ラバーキャップ
１６    キーボードフレーム
１７    キートップ
２０    案内支持機構
２１    略ロ字形スタビライザ
２２    コ字形スタビライザ
２３、２３ａ、２３ｂ、２４、２４ａ、２４ｂ、２５    係止爪
２６、２６ａ、２６ｂ    係止ピン
２７、２７ａ、２７ｂ    枠係止ピン
２８、２８ａ、２８ｂ    枠支承ピン
２９、２９ａ、２９ｂ    摺動ピン
３０    摺動溝
３１、３１ａ、３１ｂ    軸
３２、３２ａ、３２ｂ    軸受部
３５ａ、３５ｂ    腕部
３６    連結部
３７、３７ａ、３７ｂ    凹溝部
３８    開孔
３９ａ、３９ｂ    凹部
４１ａ、４１ｂ    枠腕部
４２    第１連結部
４３    第２連結部
４４ａ、４４ｂ    半円柱状部
４５、４５ａ、４５ｂ    半円状溝部
４６ａ、４６ｂ    凹溝
【図１】
2006019211.tif 000003
【図２】
2006019211.tif 000004
【図３】
2006019211.tif 000005
【図４】
2006019211.tif 000006
【図５】
2006019211.tif 000007
【図６】
2006019211.tif 000008
【図７】
2006019211.tif 000009